(57)【特許請求の範囲】
【請求項１】
長手方向外面の、開口幅が狭く内側が拡開する流体圧機器やその制御機器を取付けるための取付溝と、内部において長手方向に貫通する流体流路と、該流体流路を取付溝の底面に連通させるポートとを備えた配管部材と、該配管部材における取付溝のポート開設位置に取付けられる管継手とを備えた圧力流体給排部材であって、
上記管継手が、軸方向の通路と、上記配管部材の取付溝の開口よりも狭い幅と長い長さを有し、回動により取付溝の開口内側の係止面に係脱可能な取付部と、該取付部の上記係止面への係止により上記ポートの開口周囲に押し付けてシールするシール部材とを備え、
上記管継手が、取付部の取付溝への係止によって配管部材のポート開設位置に取付けられている、
ことを特徴とする圧力流体給排部材。
【請求項２】
上記圧力流体給排部材は、上記ポートが上記管継手を取り付けないポートを含んで複数個設けられており、
上記取付溝の開口よりも狭い幅と長い長さを有し、回動により取付溝の開口内側の係止面に係脱可能な取付部と、該取付部の取付溝への係止によりポートの開口周囲をシールするシール部材とを有して上記管継手を取り付けないポートを閉鎖するプラグを備え、
上記プラグが、取付部の取付溝への係止によって閉鎖するポートの開設位置に取付けられている、
ことを特徴とする請求項１に記載した圧力流体給排部材。
【請求項３】
上記圧力流体給排部材は、上記ポートが上記管継手を取り付けないポートを含んで複数個設けられており、
上記軸方向の通路と、配管部材の取付溝の開口よりも狭い幅と長い長さを有し、回動により取付溝の開口内側の係止面に係脱可能な取付部と、上記通路に摺動可能に挿入され通路に作用する流体圧によって突出する流体圧表示体とを有する流体圧検出器を備え、
上記流体圧検出器が、取付部の取付溝への係止によって閉鎖するポートの開設位置に取付けられている、
ことを特徴とする請求項１に記載した圧力流体給排部材。
【発明の詳細な説明】
【０００１】
【発明の属する技術分野】
本発明は、流体圧機器やその制御機器に圧縮空気等の圧力流体を給排するための圧力流体給排部材に関するものである。
【０００２】
【従来の技術】
長手方向外面の、開口幅が狭く内側が拡開する流体圧機器やその制御機器を取付けるための取付溝と、内部において長手方向に貫通する流体流路と、該流体流路を取付溝の底面に連通させるポートとを備えた配管部材と、該配管部材のポート開設位置に取付けた管継手とによって、上記取付溝に取付けた流体圧機器やその制御機器に圧力流体を供給する圧力流体給排部材は、既に知られている。
しかしながら、上記公知の管継手は、該管継手に設けた取付溝の開口を跨ぐフランジによって配管部材の外面に取付けられているので、管継手の取付けが面倒である。
【０００３】
また、流体圧機器やその制御機器の取付位置を変更すると、管継手の取付位置の変更が必要な場合があり、この場合には既設のポートを閉鎖しなければならない。
【０００４】
【発明が解決しようとする課題】
本発明が解決しようとする第１の課題は、流体圧機器やその制御機器を取付けるための取付溝を利用して、管継手を簡単に取付けることができる圧力流体給排部材を提供することにある。
【０００５】
また、本発明が解決しようとする第２の課題は、既設のポートを簡単に閉鎖または利用できる上記圧力流体給排部材を提供することにある。
【０００６】
【課題を解決するための手段】
上記第１の課題を解決するため、本発明の圧力流体給排部材は、長手方向外面の、開口幅が狭く内側が拡開する流体圧機器やその制御機器を取付けるための取付溝と、内部において長手方向に貫通する流体流路と、該流体流路を取付溝の底面に連通させるポートとを備えた配管部材と、該配管部材における取付溝のポート開設位置に取付けられる管継手とを備えた圧力流体給排部材であって、上記管継手が、軸方向の通路と、上記配管部材の取付溝の開口よりも狭い幅と長い長さを有し、回動により取付溝の開口内側の係止面に係脱可能な取付部と、該取付部の上記係止面への係止により上記ポートの開口周囲に押し付けてシールするシール部材とを備え、上記管継手が、取付部の取付溝への係止によって配管部材のポート開設位置に取付けられていることを特徴としている。
【０００７】
また、第２の課題を解決するため、上記圧力流体給排部材は、上記ポートが上記管継手を取り付けないポートを含んで複数個設けられており、上記取付溝の開口よりも狭い幅と長い長さを有し、回動により取付溝の開口内側の係止面に係脱可能な取付部と、該取付部の取付溝への係止によりポートの開口周囲をシールするシール部材とを有して上記管継手を取り付けないポートを閉鎖するプラグを備え、上記プラグが、取付部の取付溝への係止によって閉鎖するポートの開設位置に取付けられていること、および、軸方向の通路と、配管部材の取付溝の開口よりも狭い幅と長い長さを有し、回動により取付溝の開口内側の係止面に係脱可能な取付部と、上記通路に摺動可能に挿入され通路に作用する流体圧によって突出する流体圧表示体とを有する流体圧検出器を備え、上記流体圧検出器が、取付部の取付溝への係止によって閉鎖するポートの開設位置に取付けられていることを特徴としている。
【０００８】
【発明の実施の形態】
配管部材における取付溝のポートの開設位置に、管継手の取付部を開口から挿入して回動すると、取付部が取付溝に係止して管継手が配管部材に取付けられるとともに、シール部材がポートの開口周囲をシールする。
したがって、管継手にチューブ等の配管を接続すると、管継手から、配管部材の取付溝に取付けた流体圧機器やその制御機器に圧力流体を給排することができる。
上記管継手の配管部材への取付けは、配管部材に設けた流体圧機器やその制御機器を取付けるための取付溝を利用するので、配管部材に管継手を取付けるための加工を施す必要がなく、しかも取付け操作が極めて簡単である。
また、配管部材に取付けた管継手を回転すると、取付部と取付溝との係止が解除されるので、管継手を配管部材から取り外すことができる。
【０００９】
既設のポートを閉鎖する場合は、プラグに設けた取付部によって、プラグを管継手と同様の操作により取付溝のポートの開設位置に取付けると、シール部材がポートの周囲をシールするので、既設のポートを閉鎖することができる。
また、配管部材の既設のポートの開設位置に、取付部によって流体圧検出器を取付けると、配管部材の流体流路に流体圧が作用しているかどうかを検出することができる。
【００１０】
【実施例】
図１ないし図３は本発明の第１実施例を示し、この実施例は、配管部材１と、該配管部材１に取付けられる管継手２とを備えている。
これらの配管部材１，・・は、図８に示すように支持枠状に組みつけることによって、流体圧機器３やその制御機器３Ａを取付けるための構造体１Ａが構成される。
上記配管部材１は、外面の長手方向に、流体圧機器３やその制御機器３Ａ（図８参照）及び管継手２を取付けるための、開口４の幅が狭く、内側が拡開して管継手２等を係止するための係止面５，５を有する複数の取付溝６，・・（図示の例では６個）を、内部に長手方向に貫通する流体流路７，７を、取付溝６における管継手２の取付位置に、流体流路７，７を取付溝６の底面に開口させるポート８をそれぞれ備え、アルミニウム合金等の構造体１Ａとして必要な剛性を有する素材の押出し成形によって一体に形成されている。
【００１１】
上記取付溝６におけるポート８の開設位置に取付けられる管継手２は、図２及び図３に示すように、該管継手２を貫通する通路１０と、取付溝６の開口４の幅よりも狭い幅と長い長さを有し、回動により取付溝の係止面５，５に係止する取付部１１と、取付部１１の係止面５，５への係止によりポート８の開口周囲をシールするシール部材１２と、これと反対側の通路１０に取付けられた、チューブの挿入により該チューブを係止しリリースブッシュ１４の押圧によってチューブの係止を解除する、いわゆるワンタッチ管継手１３とを備えている。
しかしながら、本発明の管継手２は、ワンタッチ管継手１３を有する管継手に限定されるものではなく、螺合等によって配管を取り付けるものでもよい。
【００１２】
上記第１実施例は、配管部材１における取付溝６のポート８の開設位置に、管継手２の取付部１１を開口４から挿入して、シール部材１２を圧縮しながらほぼ９０度回転すると、取付部１１が取付溝６の係止面５，５に係止して取付溝６に取り付けられるとともに、シール部材１２がポート８の開口周囲をシールする。この場合、取付部１１がシール部材１２の弾性によって係止面５，５に押し付けられるので、管継手２が妄りに回転して取付溝６から外れることはない。また、管継手２を上記方向と反対の方向に回転するが、或いはさらに同方向に回転すると、取付部１１と係止面５，５の係止が解除されるので、管継手２を配管部材１から取り外すことができる。
したがって、管継手２にチューブ等の適宜の配管を接続すると、配管部材１の取付溝６に取付けた流体圧機器やその制御機器に圧縮空気等の圧力流体を給排することができる。
【００１３】
上記第１実施例は、配管部材１における流体圧機器３やその制御機器３Ａを取付けるための取付溝６を利用して管継手２を取付けるので、配管部材１に管継手２を取付けるための加工を施す必要がない。また、回転によって管継手２を配管部材１の取付溝６に係脱できるので、フランジと取付けねじとによる取付けに比べて管継手２の着脱操作が極めて簡単である。
なお、図示を省略しているが、上記流体流路７，７の一端に圧縮空気等の圧力流体が給排され、必要に応じて流体流路７，７の他端が閉鎖プラグ等によって閉鎖されることは、勿論である。
【００１４】
流体圧機器３やその制御機器３Ａの設置位置の変更等によっては、管継手２を取付けるポート８の位置を変更する場合があり、この場合は不要となった既設のポート８を閉鎖する必要がある。
図４及び図５はポート８を閉鎖するためのプラグ１７を有する本発明の第２実施例を示している（図１も参照）。
上記プラグ１７は、管継手２の取付部１１と同一構成の取付部１８と、取付部１８の係止面５，５への係止によりポート８の開口周囲をシールするシール部材１９と、これと反対側の配管部材１の取付溝６より突出する箇所に設けた回転工具を挿入するための断面６角形の工具挿入穴２０とを備えている。
上記プラグ１７は、不要となったポート８の開設位置において、取付部１８を取付溝６の開口４から挿入し、工具挿入穴２０に挿入した工具によって約９０度回転すると、取付部１８が係止面５，５に係止して管継手２と同様に取付溝６に取付けることができ、ポート８の開口周囲はシール部材１９によってシールされる。したがって、ポート８を閉鎖することができる。
また、管継手２と同様の操作により取付溝６から取り外すと、このポート８に管継手２を取付けることができる。
この場合、例えば図１に示すように、取付溝６，・・に予め複数のポート８，・・を開設しておき、圧力流体を給排するためのポート８に管継手２を、他のポート８にプラグ１７を取付けることができる。
【００１５】
図６及び図７は本発明の第３実施例を示し、この実施例は、予め開設した複数のポート８，・・の１つに、流体流路７の流体圧を検出する流体圧検出器２３が取付けられている。
上記流体圧検出器２３は、管継手２の取付部１１と同じ構成の取付部２５を有する合成樹脂製の外側ボディ２４と、軸方向の通路２７を有し外側ボディ２４に軸方向の移動不能に取付けられた金属製の内側ボディ２６と、内側ボディ２６の外部先端に螺着したカバー２９と、内側ボディ２６における通路２７の拡径部に気密に摺動可能に挿入された圧力表示体３０と、カバー２９と圧力表示体３０との間に縮設されたばね３１と、外側ボディ２４のポート８側に取付けられボディ２４と２６の間を気密にシールするとともに、取付部２５の取付溝６の係止面５，５への係止によってポート８の開口周囲を気密にシールするシール部材３２とを備えている。
また、上記圧力表示体３０の基端は、ばね３１の付勢力によって通路２７の段部に当接し、この状態において先端の表示部３０ａは、カバー２９の中心孔２９ａに挿入されてカバー２９の表面とほぼ同一面に位置している。
【００１６】
上記流体圧検出器２３は、管継手２と同様に取付部２５によって取付溝６のポート８の開設位置に取付けられ、取付けによってシール部材３２がポート８の開口周囲をシールする。
配管部材１の流体流路７に流体圧が作用すると、通路２７によって圧力表示体３０に圧力流体が作用するので、圧力表示体３０がばね３１の付勢力に抗して摺動して、表示部３０ａの先端がカバー２９の表面から突出する。
したがって、流体圧検出器２３によって、流体流路７に所定の流体圧が作用しているか否かを検出することができ、流体圧の大小はばね３１の付勢力によって調節することができる。
【００１７】
【発明の効果】
本発明の圧力流体給排部材は、管継手の取付部によって、配管部材に設けた流体圧機器等やその制御機器を取付けるための取付溝に該管継手を取付けることができるので、管継手の配管部材への係脱操作がきわめて簡単で、しかも配管部材に管継手取付のための加工を施す必要がないので、全体を安価なものとすることができる。
【００１８】
また、配管部材の既設のポートを、プラグに設けた取付部よって、管継手と同様に簡単な操作で閉鎖することができる。
さらに、既設のポートに取付けた流体圧検出器によって、流体流路の流体圧を検出することができる。
【図面の簡単な説明】
【図１】第１実施例の斜視図である。
【図２】管継手の斜視図である。
【図３】管継手の取付態様の図である。
【図４】プラグの平面図である。
【図５】プラグの取付態様の図である。
【図６】圧力表示器の平面図である。
【図７】圧力表示器の取付態様の図である。
【図８】構造体の斜視図である。
【符号の説明】
１    配管部材
２    管継手
３    流体圧機器
３Ａ  制御機器
６    取付溝
７    流体流路
８    ポート
１０，２７  通路
１１，１８，２５  取付部
１２，１９，３２  シール部材
１７  プラグ
２３  流体圧検出器
３０  流体圧表示体
【図１】
0003664531.tif 000002
【図２】
0003664531.tif 000003
【図３】
0003664531.tif 000004
【図４】
0003664531.tif 000005
【図５】
0003664531.tif 000006
【図６】
0003664531.tif 000007
【図７】
0003664531.tif 000008
【図８】
0003664531.tif 000009